(57)【要約】  シネマプレゼンテーションパッケージのためのシームレス移行を可能にする方法であって、前記シネマプレゼンテーションパッケージがプレショー、予告編、ライブイベント、及びメイン映画を含む。このステップは、前記プレショー、予告編、ライブイベント、及びメイン映画の間の移行に影響を与える前記シネマプレゼンテーションに対応する特定のプロトコルの要件を決定するステップを含む。移行行為は、前記シネマプレゼンテーションパッケージを形成する前記プレショー、予告編、ライブイベント、及びメイン映画の間で識別されなければならない。フレキシビリティが、前記シネマプレゼンテーションパッケージを表示するにあたって存在し、それでもなお、特定のプロトコルとその特定のプロトコルに関連した移行ルールとにしたがって、前記プレショー、予告編、ライブイベント、及びメイン映画が表示される。
2008518322.tif 000002
【特許請求の範囲】
【請求項１】
シネマプレゼンテーションパッケージのためのシームレス移行を可能にする方法であって、前記シネマプレゼンテーションパッケージがプレショー、予告編、ライブイベント、及びメイン映画を含み、
（ａ）前記プレショー、予告編、ライブイベント、及びメイン映画の間の移行に影響を与える前記シネマプレゼンテーションに対応する特定のプロトコルの要件を決定するステップと、
（ｂ）前記シネマプレゼンテーションパッケージを形成する前記プレショー、予告編、ライブイベント、及びメイン映画の間の移行行為を識別するステップと、
（ｃ）前記特定のプロトコルにしたがって前記シネマプレゼンテーションパッケージを表示するフレキシビリティを提供するステップと、
（ｄ）前記特定のプロトコルに関連した移行ルールにしたがって前記プレショー、予告編、ライブイベント、及びメイン映画を表示するステップと、
を含む、方法。
【請求項２】
前記シネマプレゼンテーションパッケージが、前記プレショー、予告編、ライブイベント、及びメイン映画の表示要件にしたがって、フィルム映写機、又はデジタル映写機、又はフィルム映写機及びデジタル映写機の両方の組み合わせを使用して表示される、請求項１に記載の方法。
【請求項３】
前記特定のプロトコルが、所有権、契約上の義務、使用モデル、スケジューリング要件、スクリーン選択権、ダイナミックなコンテンツ、及びタイムスロット権からなるグループから選択される、請求項１に記載の方法。
【請求項４】
シネマプレゼンテーションパッケージのためのシームレス移行を可能にするシステムであって、前記シネマプレゼンテーションパッケージがプレショー、予告編、ライブイベント、及びメイン映画を含み、
（ａ）前記プレショー、予告編、ライブイベント、及びメイン映画の間の移行を支配する所定の特定のプロトコルと、
（ｂ）前記プレショー、予告編、ライブイベント、及びメイン映画のスケジューリングを組織する手段と、
（ｃ）フレキシビリティを提供する手段と、
（ｄ）個々のプレショー、予告編、ライブイベント、又はメイン映画をシームレス様式で開始し且つ終了する手段と、
を備える、システム。
【請求項５】
デジタル広告コンテンツをスケジューリングし且つ上映サイトで観衆に提示する方法であって、
（ａ）スケジュールアイテムの記録を含むリレーショナルデータベースを読むステップと、
（ｂ）広告演目リストの記録を含むリレーショナルデータベースを読むステップと、
（ｃ）関連付けのルールを含むリレーショナルデータベースを読むステップと、
（ｄ）前記データベース内のスケジュールアイテムを、前記データベース内の関連付けルールにしたがって前記データベース内の広告演目リストと関連付けるリレーショナルデータベース記録を作成するステップと、
を含む、方法。
【請求項６】
スケジュールアイテムが前記システムに前もって存在するか又は新規であるかを決定するステップをさらに含む、請求項１に記載のデジタル広告コンテンツをスケジューリングし且つ提示する方法。
【請求項７】
各スケジュールアイテムに対する独自の識別子を決定するための付加的なリソースのためのリクエストをさらに包含する、請求項２に記載のデジタル広告コンテンツをスケジューリングし且つ提示する方法。
【請求項８】
新規の広告データが前記システム上にロードされるときにはいつでも請求項１のステップを実行する方法。
【請求項９】
新規のスケジュール情報が前記システム上にロードされるときにはいつでも請求項１のステップを実行する方法。
【請求項１０】
関連付けルールがスケジュールアイテムに対する関連付けを生成しないときには、デフォルトの演目リスト（単数又は複数）と関連付けるステップをさらに包含する、請求項１に記載のデジタル広告コンテンツをスケジューリングし且つ提示する方法。
【請求項１１】
処理の最後でスケジュールがリレーショナルデータベースにセーブされる、請求項１に記載のデジタル広告コンテンツをスケジューリングし且つ提示する方法。
【請求項１２】
前記演目リストメタデータが関連付け処理を可能にするために有効でなければならない、請求項１に記載のデジタル広告コンテンツをスケジューリングし且つ提示する方法。
【請求項１３】
選択されたコンテンツ要素の有効期限が切れていても、演目リストが関連付けされることを可能にするステップをさらに包含する、請求項１に記載のデジタル広告コンテンツをスケジューリングし且つ提示する方法。
【発明の詳細な説明】
【技術分野】
【０００１】
本発明は、デジタルシネマの分野に関しており、より具体的には、フィルム映写及びデジタル映写の混合したマルチシアター環境においてデジタル化された広告情報の使用に関している。
【背景技術】
【０００２】
今日のシアター管理システムは、フィルム映写のために構成されている。このシステムのキー要素は、チケット発券システム、フィルム映写機、スライド映写機、サウンドシステム、ならびに照明及び音声のような基本的なシアター機能を半自動的に制御するためのシアター自動化システムを含む。
【０００３】
典型的なショーは、２つの主要な時間セグメント、すなわち、広告、トリビア、及び施設の案内のために使用されるプレショースライドと、ショーの予告編及び映画フィルムから構成される実際のショータイムとに分けられる。
【０００４】
映画館支配人は、プレショー時間をスクリーン広告者に販売する。スクリーン広告者はそれから、広告契約をその顧客と形成する。契約上の条件は、広告を演示しなければならない回数、どのような種類の映画フィルムと共に広告を演示するか、広告はどの位の長さか、開始及び終了の契約期日はいつか、を含む。
【０００５】
【特許文献１】米国特許出願第２００３／００４８４１８号
【発明の開示】
【発明が解決しようとする課題】
【０００６】
今日のスライド映写機広告システムでは、これらの条件は満足することが面倒であり、せいぜいは、広告者によって容易に確認したり拒否したりすることができない信頼関係に基づいている。それゆえ、これらのシステムは、広告者に、処理、製品、又は利益の改善のためにあまり余地を残していない。広告者が必要とするのは、プレショー広告コンテンツの生成、配布、及び映写の制御を彼らに与えるフレキシブルなシステムである。映画館支配人が必要としているのは、彼らがショーの広告部分をサポートする必要性を最小化し、且つ彼らの現在の映画フィルムのワークフロー及び慣習に負のインパクトを与えないシステムである。
【０００７】
ショータイムは、予告編及び映画フィルムを提示するために使用される。シアター所有者は、フィルムを製作元のスタジオから、セットになった条項及び条件の下でレンタルする。これらの条項は、２つの当事者間の財政的なアレンジ、ならびに開始及び終了の契約期日を含む。シアター所有者は、この時間期間の間、日毎ベースでのスケジュールの実行に関していくらかの自由は行使する。スケジューリングは週単位で完了するが、ある場合には、スケジュールは顧客の反応に合わせるために短い周知期間で更新される。
【０００８】
スケジュールは、スケジュールのディスプレーを駆動し、チケット発券及び印刷を管理し、売り上げに関連する財政項目をリポートする販売チケッティングシステムのある点に入力される。このスケジュールの再生実行は、そのデータ入力からは効果的に独立している。それはむしろ、映写技師のスケジュールの解釈及びそれに引き続くスライド映写機における広告スライドの物理的なセットアップ、スケジュールのマニフェスト化である映写機器の特定の例における広告、予告編、及び映画フィルムのコンテンツリールのスプライシングである。再び、デジタル管理システムから顕著に効果を得ることができる面倒なプロセス。
【０００９】
シネマ環境においてデジタル化されたコンテンツを提示するそのようなシステム及び方法は、開示されてきている。「デジタルシネマシステムにおけるプレゼンテーションスケジューリング」という名称の米国特許出願第2003／0048418号は、純粋にデジタルなシネマシステムにおいてデジタル化されたコンテンツのスケジューリングをサポートするシステムを提示している。それは、環境制御のために現存しているシアター自動化サブシステムとのインターフェースをとる必要性は認識しているが、「移行的」なデジタルシネマに関する問題は適切に論じていない。「移行的」とは、フィルム映写及びデジタル映写サブシステムの両方から構成され、２つの協働を許容する方法及び機構を組み込んだシステムを意味する。同様に、「シアター自動化システムに指示を与えるための装置及び方法」という名称の米国特許第6,700,640B2号は、予告編及び映画フィルムコンテンツから構成されるデジタル「プラッター」を、ディスプレーのアスペクト比、サウンドトラックフォーマット、及びアメリカ映画協会（ＭＰＡＡ）のレーティングのような属性に対する感度をもって構築する解決策を記述している。再び、これは、純粋なデジタルシネマに関して議論されており、そこでは、スケジュール生成時刻においてユーザに警告を提示することは、コンテンツの適合性を強制する。これは、フィルム映写及びデジタル映写システムの組み合わせを利用するハイブリッドシステム、及び／又はショータイムとの組み合わせでプレショーの独自の必要性を満たす組み合わせシステムの両方を包含する本願明細書で論じられるアルゴリズム駆動型のスケジュールアセスメントとは対照的である。最後に、「シネマ及びシアターに対して広告情報をデジタル的に提供及び表示するシステム及び方法」という名称のWO01／13301号は、ジャスト・イン・タイム広告モデルを議論している。この発明では、コンテンツ提供者は、再生を保証し得ないアルゴリズム的「カルーセル」に、新しいコンテンツデータの例を提出する。これは、いくつかの広告ソリューションには適しているかもしれないが、広く広まった慣習ではなく、上映施設におけるオペレータのサポートを必要とする。広告者及び映画館支配人によって必要とされているのは、最低限のものとしては、付加的なワークフローなしにショータイムの彼らのそれぞれの部分を管理するコントロールを彼らに与え、より理想的には、彼らの現存しているワークフローに新しい効率を付加するシステムである。したがって、空隙が従来技術には残存している。
【課題を解決するための手段】
【００１０】
本発明は、上述の問題の一つ又はそれ以上を克服することに向けられている。簡単に要約すると、本発明の一つの局面によると、シネマプレゼンテーションパッケージのためのシームレス移行を可能にする方法であって、前記シネマプレゼンテーションパッケージがプレショー、予告編、ライブイベント、及びメイン映画を含む。このステップは、前記プレショー、予告編、ライブイベント、及びメイン映画の間の移行に影響を与える前記シネマプレゼンテーションに対応する特定のプロトコルの要件を決定するステップを含む。移行行為は、前記シネマプレゼンテーションパッケージを形成する前記プレショー、予告編、ライブイベント、及びメイン映画の間で識別されなければならない。フレキシビリティが、前記シネマプレゼンテーションパッケージを表示するにあたって存在し、それでもなお、特定のプロトコルとその特定のプロトコルに関連した移行ルールとにしたがって、前記プレショー、予告編、ライブイベント、及びメイン映画が表示される。
【００１１】
本発明の他の局面は、シネマプレゼンテーションパッケージのためのシームレス移行を可能にするシステムであって、前記シネマプレゼンテーションパッケージがプレショー、予告編、ライブイベント、及びメイン映画を含み、そのシステムは、前記プレショー、予告編、ライブイベント、及びメイン映画の間の移行を支配する所定の特定のプロトコルを含む。また、前記プレショー、予告編、ライブイベント、及びメイン映画のスケジューリングを組織する手段と、フレキシビリティとも含まれる。本発明は、個々のプレショー、予告編、ライブイベント、又はメイン映画をシームレス様式で開始し且つ終了することを可能にする。
【００１２】
本発明の第3の局面は、デジタル広告コンテンツをスケジューリングし且つ上映サイトで観衆に提示する方法であって、この方法は、スケジュールアイテムの記録を含むリレーショナルデータベースを読むステップを含む。付加的な読み取りステップは、広告演目リストの記録を含むリレーショナルデータベースを読むステップと、関連付けのルールを含むリレーショナルデータベースを読むステップと、前記データベース内のスケジュールアイテムを、前記データベース内の関連付けルールにしたがって前記データベース内の広告演目リストと関連付けるリレーショナルデータベース記録を作成するステップと、を含む。
【発明の効果】
【００１３】
・スクリーン広告者がプレショー経験を管理及び制御することを可能にする。
・シアター所有者がショータイム経験を管理及び制御することを可能にする。
・シアター経験のプレショー及びショータイム期間の間の移行と制御におけるハンドオフとをシームレスに管理する。
・シアターのチケット発券システムとの協働を可能にする。
・映画属性に基づいたプレショーのスケジューリングを可能にする。
・シアター属性に基づいたプレショーのスケジューリングを可能にする。
・プレショーと映画との間にスクリーンが暗くなる時間を避けることを可能にする（移行）。
・フレキシブルなショー間のスケジューリングを可能にする。
・ロビーディスプレーのような任意のデジタルディスプレー装置のためのスケジューリング及び再生を可能にする。
・推定された時刻毎の人数に基づいたプレショーのスケジューリングを可能にする（タイムスライス）。
・シアター所有者が、ショータイムを含むシアター経験のショータイム部分とシアターコンプレックス内のハウスとを完全に制御することを可能にする。
【００１４】
本発明のこれらの及びその他の局面、目的、特徴、及び効果は、好適な実施形態の以下の詳細な記述と添付の請求項とのレビューから、ならびに添付の図面の参照によって、より明確に理解及び認識されるであろう。
【発明を実施するための最良の形態】
【００１５】
本発明はその空隙を認め、且つ、知的な設定変更可能なアルゴリズムを介して上映スケジュールデータの読み取りを自動化し且つ広告コンテンツと映画フィルム又はデジタルショータイムコンテンツとをリンクすることによって、フィルム及びデジタル映写サブシステムの共存とデジタルプレショー及びショータイムシステムの共存とをサポートするシステムを提示する。
【００１６】
本発明は、シアター広告の提供者、スタジオ、及び映画館支配人の独自の所有権及びビジネス上の関心を認め、シアター「ショーリスト」と称されてきているもののセグメント化を提案する。図１を参照すると、ショーリストを、シアタースケジュールにおける時刻を表すブロックの時間的に連続したシーケンスとしてみる。このショーリストは、しばしば広告又は情報のアナウンスの形態を取るデジタル化されたプレショーコンテンツ５の第１のセグメントを備えている。第２のセグメントは、来るべき映画プレゼンテーション及びリリースのスタジオ予告編２０を備えている。第３のセグメントは、初期には「フィルムブロック」とも称されていた映画の表示２５それ自身を備えている。この内容における「所有権」は、何を演じるか、どのように開始するか、どのように演じるか、及びどのように終了するかに関してショーの一部の特有の制御を有する者に割り当てられている。図２を参照すると、ライブイベントの表示の代替を見ることができ、ここでは、ライブイベント３０がフィルム又はデジタル映画の時刻スロットを置き換えている。図４及び図５は、ショーリストのプレショー、予告編、及び映画セグメントの間の階層関係を表している。スケジュールは階層的で、より高い層は下層に対して優先権を有している。最高のランキングは、任意の所与の時刻に演じる権利を有している。もし、例えば恐らくは機器の故障のために最高ランキングレベルが演じられないと、次に低いレベルが演じられる。この行為は、ショーリストのシームレスプレゼンテーションに必須である。その中で本発明が動作する、より大きな内容又はシステムは、以前に「マルチシアター環境におけるデジタルシネマコンテンツのスケジューリング及び取り扱いのためのストリームライン化された方法及びシステム」という名称の米国特許出願第10／309,867号に開示されており、それは参照によって全体的にここに援用される。
【００１７】
チケット発券システムのインターフェース
図５を参照すると、今日シアターで動作するようなデジタルシネマシステムのレガシー及び新システムを両方含むシステムの物理的な様子を見ることができる。本発明のレガシー局面は、チケット発券システム入力及び記憶装置１２０とその接続性、及びシアター自動化システム１３５の一体化を含む。新しいデジタルシネマシステム構成要素はコアのシアター管理システム１００を含み、これは、コンピュータ、データベース１０５、ならびに、レガシー及び新デジタル構成要素の両方に対するインターフェース能力を有するソフトウエアを備えている。留意すべきは、デジタルコンテンツの入力及びローディングとシステムステータス及び履歴データの出力との両方を可能にするインターネット又は個人管理ネットワークのようなワイドエリアネットワーク１３０の接続性の存在である。そのようなデータのソース及び目的地は、中央処理化されたコンテンツ配布団体１２５及びシステムデータのクリアリングハウスである。
【００１８】
今日のシアターチケット発券システム１２０は、典型的には、映画ショースケジュールのデータ入力及び記憶をサポートすることができるコンピュータ化された装置である。特に、ショーの映画又はフィルムブロックのスケジューリングが記憶される。ひとたび記憶されると、この情報は、スケジュールをそれがセーブされた形態で解釈する能力を有する様々な他のシステムを駆動することができ、これは、テキスト的であったりデータベースによって伝達されたりする。本発明の実施形態は、ネットワークファイルアクセス又はネットワークファイル転送のような様々なコンピュータネットワーク技法を介して、産業界の標準チケット発券システムをインターフェース１２１することを含む。特定のシステムと共に動作するように構成されると、本発明は、新しいデータの入力及び更新されたデータの入力に気づき、それにしたがってこの情報に反応する。本発明は、通常の週毎のシアターオペレーションを反映した頻度での更新の期待を確実にすることができるように、チケット発券システムとの接続のstatefulnessを生成する。
【００１９】
最後に、図５は、単一スクリーン１５５でのシームレスショーリストプレゼンテーションを駆動するために使用されることができる映写機器スイートの共存を示す。この機器は、現存しているレガシー映画フィルム映写１４５、新しいデジタル映画映写１５０、及び新しいデジタル広告映写機器１４５を備えている。
【００２０】
関連付け
図５に描かれているように、チケット発券システム１２０からのデータは、主として、デジタル化された広告コンテンツ及び映画プレゼンテーションスケジュールの入力の間の「関連付け」又は「スケジュールリンケージ」を駆動するために使用される。これらの入力は、チケット発券システムとの人間の相互作用を通じて始められ、これより、チケット発券システム又は異なる映画館支配人の方法及び最良の慣習と相互作用する異なる個人に基づいて、不正確さ及びスタイル上の変動の対象となる。これらの変動に応じるために、本発明の実施形態は、データ入力のテキスト的な分析を含み、これは２つの「解決」経路のいずれかに到達する結果となる。第１の経路は、現存するデータ記憶との比較を伴い、単語及び言語パターンのマッチングを適用して、これは、広告コンテンツをシステム上にロードしたもののようなローカルシステムオペレータ又は集中配布１２５システム体によるさらなる取り扱いのためのリクエストを構築する成功した関連付け又は必要性をもたらす結果となる。本発明はそれから、その関与の結果を受領及び記憶し、これにより、さらなる解決策の関与に対する必要性を避ける。
【００２１】
ひとたびセーブされると、広告コンテンツと映画プレゼンテーションコンテンツとの間の関連付けは、映画プレゼンテーションそれ自身、施設の特性、又は時刻の属性のうちの一つの属性又は複数の属性の組み合わせに基づいて適用されることができる。本発明の実施形態は、映画のＭＰＡＡレーティング、ジャンル、発起人、スクリーン又は再生時刻に基づいた関連付けを含む。ひとたび配置されると、本発明があらゆる任意の一つの属性又は属性の組み合わせに適用されるように拡張されることができることが、理解されるべきである。
【００２２】
優先権ルールのセット（どの関連付けルールが他のものに対して優先権を持つかを特定するルール）は、シアター管理システム１００によってプログラム的に適用される。アルゴリズムは、特定の映画タイトルに合致する演目リストを探し、合致するものが見つからないと、そのときには映画のジャンルの合致を探し、依然として合致するものが見つからないと、レーティング、時刻毎のスタジオスケジュール、又はスクリーン番号を探し続ける。フォールスルーとして、本発明は、暗い「広告」スクリーンを避けるデフォルト演目リストを割り当てることができる。
【００２３】
再生行為
映画スケジュールデータが配置され、デジタル化されたプレショーコンテンツがスクリーン上にロードされると、全「ショーリスト」の表示を形成する。図６を参照すると、このショーリストは、映画の演示に先立って、設定変更可能なマイルストーンにて再生を開始する。広告プレショーは、典型的には反復演示２２０コンテンツで始まる。図６は、ショーリスト２３０のプレショー及び映画プレゼンテーション部分の時刻に従ったシーケンスを示す。反復演示２２０コンテンツは、プレショーの単一演示２２５部分でスケジュールを満たすまで、ループし続ける。本発明は、可変量の単一演示２２５演目リストコンテンツであることができるものに基づいて、可変量の反復演目リスト２２０の再生を許容する。これは、図３及び図４に見られるように、これらのセクションの時刻方向でのオーバーラップによって描かれている。
【００２４】
ここで達成されるのは、反復及び単一演示プレショーセグメントの間のフレキシブル且つシームレスな移行である。これよりこれは、単一の反復演目リスト２２０がシステム内の単一演示演目リスト２２５のいずれか又は全てと共に演示することを許容し、あるいは逆に、単一の単一演示２２５演目リストがシステム内の任意の反復演目リスト２２０と共に演示されることができることを可能にする。
【００２５】
図３及び図４にて言及され且つ示されているように、映画再生のスケジュールの実行は厳密ではなく、システムのプレショー部分には知られないか又は利用できない規準に基づいてなされる第２の決定を反映する。図３及び図４の異なるショータイム３５マイルストーンに留意されたい。これに対応するために、本発明は「移行」演目リスト１１の表示を含み、これは、広告コンテンツの中断されない再生を維持しながら、映画の再生の遅れた実行を許容する。「移行」１１コンテンツがないと、本発明の一つの実施形態は、プレショーの反復演目リスト１５部分の再生を始める。そのような演目リストの表示は、広告提供者が、映画の再生に近接したこのスロットにプレミアムコンテンツを指定することを可能にし、それより非常に望まれる再生時刻を示す。
【００２６】
信頼できないスケジュールの実行の他の表明は、早い時期の映画の再生を伴う。逆に、本発明は、図６に描かれているように、良く知られたシアター自動化システム１３５とのインターフェースを含み、これは、プレショー及び映画再生機器の間の通信を可能にする。この結果は、映画映写システムが映写を開始すると、プレショー映写システムが映写を停止する結果となる。
【００２７】
最後に、本発明の他の実施形態は、プレショー演目リストの終了がオペレータの関与の必要性なしに映画の再生の開始をシグナルするために使用されることができる構成を可能にする。これはまた、シアター自動化システム１３５インターフェースを介して通信される。
【００２８】
音声多重化
図６を参照すると、本発明は反復演目リストの構築を許容し、これは、音声２００又は映像２０５構成要素の一方からなる１次ストリーム、又は音声及び映像構成要素の両方からなるいわゆるプログラムストリーム２１０を含むことができる。「音声のみ」２００ストリームという表示は、それらが「映像のみ」２０５ストリームに対して「バックグラウンド音声」として演示され、遭遇すると「プログラムストリーム」２１０音声に知的に明け渡すようになっている。これを達成するために、本発明の実施形態は、「セグメント」２３５の形成を含み、この内部にて、広告提供者は、「バッククラウンド音声」、「映像のみ」又は「音声／映像」ソースのような特定のストリームを指定することによって、特定の音声及び映像構成要素のプレーアウトを具体的に制御することができる。
【００２９】
本発明は、プレショー及びショータイム、フィルム及び／又はデジタル映写システムがシアター管理システムと協働することを可能にする解決策を提供する。シアターの前もって存在するスケジューリングシステムと一体化することによって、且つ自動化システム広告コンテンツは、広告者の前もって定めたルールにしたがって全ての映画フィルムを演示するようにスケジュールされる。
【００３０】
スケジュールにおける各アイテムは、「ショーリスト」と称されることができる。ショーリストは演目リストを備えており、これはセグメントを備えており、これは一次（音声又は映像）及びプログラム（音声及び映像の両方）ストリームを備える。ショーリストは、映画及び関連する演目リストから構成されている。映画は、ショーリストの核である。
【００３１】
２つのタイプの演目リスト、単一演示及び反復がある。単一演示の演目リストは、大抵は、ある時刻に開始して一度だけ全編が演示されるようにスケジュールされている。反復演目リストは、ある時刻に開始して、必要であればスケジュールされた終了時刻までそのコンテンツを反復して演示するようにスケジュールされている。演目リストは、プレショー、ポストショー、及び移行の機能を有するショーリスト内で、映画に対して配置される。移行演目リストは、定期的にスケジュールされた演目リストと時刻通りに開始又は終了しない映画との間を埋めるときのみに示される。
【００３２】
映画館支配人は、スケジュールシステムコンピュータプログラムを介して映画フィルムスケジュールデータ入力を実行する。このシステムは、スケジュールをデータベースに、あるいは他のコンピュータシステムによってアクセス可能なファイルベースの形態でセーブする。この情報と共に、スケジュールのプリントアウトが各映写機に添付され、映写技師によって、どのように及びいつフィルム映写機器が動作されるべきであるかを決めるために参照される。
【００３３】
広告コンテンツ演目リスト及びその関連付けルールは、電子ネットワーク及び媒体配布手段を介してシステムによって受領される。演目リスト及びそのルールは、データベースプログラムにて解釈され且つセーブされる。毎日、スクリーンのその日のスケジュールを満たすために必要とされるコンテンツがコンピュータシステムにコピーされ、それが、そのスクリーンに対するデジタル映写システムを駆動する。スケジュールされた映画の再生時刻が近付くと、その映画に関連付けられた反復可能な且つ単一演示の演目リストは、コンピュータシステムがフィルム映写システムから（シアター自動化システムを介して）映画フィルムの再生が始まったという信号を受けると、演示を開始する。この時点で、デジタル広告再生は終了する。
【００３４】
映画館支配人におけるスケジュールの実行は、本来は、映画フィルムの演示を開始するトリガ機構がしばしば映写技師の行動であるという事実のために、厳密ではない。映画フィルムの再生がチケット発券システムスケジュールにしたがって開始されていない場合には、デジタル移行演目リストが演示されて映写される。
【００３５】
映画館支配人におけるスケジュールの実行は、本来は厳密ではない。これは、映画フィルムの演示を開始するトリガ機構がしばしば映写技師の行動であるという事実とともに、スケジュール時刻とデジタル広告システムとの間に絶対的な時刻の同期が欠如していること、又はショーの開始時刻を遅らせるという上映会場における意識的な決定のためである。これに対応するために、本発明の一つの局面は、自動化信号をシアタースケジュールに関して解釈するシアター自動化システムとのインターフェースである。
【００３６】
映画館支配人は、映画フィルムスケジュールデータの入力を、スケジュールシステムコンピュータプログラムを介して実行する。このシステムは、スケジュールをデータベース、又は他のコンピュータシステムによってアクセス可能なファイルベースの形態にセーブする。ショータイムスケジュールは、フィルム又はデジタルショータイム映画の演示を開始するために、自動的に利用されることができる。例えば長いチケット発券の列のために、開始時刻を自動的にスケジュールしていてもショーが遅れることは、普通である。映画フィルムの再生がチケット発券システムスケジュールにしたがって開始されていない場合には−シアターにおけるマニュアルの関与のために遅れると−、デジタル移行演目リストが演示されて映写される。
【００３７】
本発明の一つの局面は、スクリーン広告者との契約にしたがって自動的にプレショーを制御しながら、映画館支配人がショータイム映画の演示を制御することを可能にする−且つシアター経験の２つの局面の間の制御の移行及びハンドオフを管理するシステムを提供することである。
【００３８】
したがってスケジュールは、映画が時刻通りに始まらないと、プレショーの反復及び単一演示の演目リストの開始の後にオプショナルの移行演目リストを駆動する。本発明の他の局面はデジタル映画又はフィルム映写における中断へのレスポンスを含み、これは、移行演目リストのデジタル映写を始める。そして最後に、本発明の他の局面はフィルム映写の終了への設定変更可能なレスポンスであり、これは反復演目リストのデジタル再生を始める。
【００３９】
本発明が、ある好適な実施形態に関して記述されてきた。しかし、変形及び改変が、本発明の範囲から逸脱することなく、当業者によって行われることができる点を理解されたい。
【図面の簡単な説明】
【００４０】
【図１】映画プレゼンテーションの内容におけるシアターショーの期間及び所有権のセグメント化を描いている図である。
【図２】ライブイベントの代替的なプレゼンテーションの内容におけるシアターショーの期間及び所有権のセグメント化を描いている図である。
【図３】反復、単一演示、移行演目リスト、及び映画プレゼンテーション時刻の間の階層関係およびスケジューリングのフレキシビリティを述べた図である。
【図４】遅れた映画プレゼンテーション開始時刻についての反復、単一演示、移行演目リスト、及び映画プレゼンテーション時刻の間の階層関係およびスケジューリングのフレキシビリティを述べた図である。
【図５】システム構成要素およびそれらの接続性を描いた図である。
【図６】シームレスの音声及び映像同期をサポートするための反復及び単一演示の演目リストとそれらの必要とするセグメント化との構造についての詳細を描いた図である。
【符号の説明】
【００４１】
５  プレショーのショーリスト部、１０  単一演示の演目リスト、１１  移行演目リスト、１５  反復演目リストのプレショーのショーリスト部、２０  予告編ショーリスト部、２５  映画ショーリスト部、３０  ライブイベントショーリスト部、３５  映画開始時刻ライン、１００  シアター管理サーバ、１０５  シアター管理サーバ−データベース、１１０  関係付けエンジン、１１５  スクリーンコンテンツプレーヤー、１２０  シアターチケット発券システム、１２１  シアターチケット発券システム接続性、１２５  中央処理化されたコンテンツ配布サーバ、１３０  ワイドエリアネットワーク接続性、１３５  シアター自動化システム、１４０  広告映写機、１４５  映画映写機フィルム映写、１５０  映画映写機デジタル映写、１５５  シネマスクリーン、２００  ショーリストの音声のみコンテンツ、２０５  ショーリストの映像のみコンテンツ、２１０  ショーリストの音声／映像コンテンツ、２１５  演目リスト反復点、２２０  反復演目リスト、２２５  単一演示の演目リスト、２３０  ショーリスト、２３５  セグメント。
【図１】
2008518322.tif 000003
【図２】
2008518322.tif 000004
【図３】
2008518322.tif 000005
【図４】
2008518322.tif 000006
【図５】
2008518322.tif 000007
【図６】
2008518322.tif 000008
【国際調査報告】
2008518322.tif 000009
2008518322.tif 000010
2008518322.tif 000011